(57)【要約】      （修正有）【課題】ケースとカセットとを備えたディスペンサーに関し、カセットは、取り出し領域を有し、ケースの本体の上壁に形成されたアクセス窓内に、取り出し領域を配置することによって、筐体にカセットを搭載し、カセットを可逆的に固定できる可逆的固定機構を提供する。【解決手段】上記筐体３は、枠２７を有し、上記枠２７は、垂直に保持されることによって、上記筐体３内にて水平移動可能であり、上記枠２７と上記カセット２とにはそれぞれ、相補的手段が備えられており、上記相補的手段は、上記枠２７の第１の位置にて、上記アクセス窓８内に上記取り出し領域７を配置した状態で上記カセット２を上記筐体３に搭載することができ、上記枠２７の第２の位置にて、上記筐体３内での上記カセット２の位置を固定することができるように構成されている。【選択図】図４
2014166885.tif 000002
【特許請求の範囲】
【請求項１】
ケース（１）とカセット（２）とを備えた、製品のディスペンサーであって、
上記カセット（２）は、上記カセット（２）の容器内にて保持された上記製品を取り出すための取り出し領域（７）を有し、
上記ケース（１）の本体の上壁（４）に形成されたアクセス窓（８）内に上記取り出し領域（７）を配置することによって、上記本体に設けられた筐体（３）に上記カセット（２）を搭載するディスペンサーであって、
上記筐体（３）内に、上記カセット（２）を可逆的に固定できる可逆的固定機構を備えており、
上記筐体（３）は、枠（２７）を有し、
上記枠（２７）は、垂直に保持されることによって、上記筐体（３）内にて水平移動可能に搭載され、
上記枠（２７）と上記カセット（２）とにはそれぞれ、相補的手段が備えられており、
上記相補的手段は、上記枠（２７）の第１の位置にて、上記アクセス窓（８）内に上記取り出し領域（７）を配置した状態で上記カセット（２）を上記筐体（３）に搭載することができ、上記枠（２７）の第２の位置にて、上記筐体（３）内での上記カセット（２）の位置を固定することができるように構成されることを特徴とするディスペンサー。
【請求項２】
上記ケース（１）は、上記筐体（３）にアクセス可能な開位置と閉位置との間で上記本体に連結された基部（３６）を有し、
上記閉位置において、上記基部（３６）は、上記筐体（３）の下壁となり、
上記可逆的固定機構は、上記枠（２７）を移動する装置を備えており、
上記装置は、上記枠（２７）と上記基部（３６）との上に設けられた相補的手段を備え、
上記相補的手段は、上記基部（３６）を閉めることによって上記枠（２７）が上記第１の位置から上記第２の位置に移動するように、構成されたことを特徴とする請求項１に記載のディスペンサー。
【請求項３】
上記ケース（１）の上記本体は、上記上壁（４）の下に延伸する垂直壁（２８）を有し、
上記枠（２７）は、上記垂直壁（２８）の内側に設けられ、上記窓（８）を囲むことを特徴とする請求項１または２に記載のディスペンサー。
【請求項４】
上記ケース（１）の上記本体の内側には、複数の突出部（３０）の下になるように設けられた複数のノッチ（２９）が形成されており、
上記複数の突出部（３０）は、上記枠（２７）を垂直に保持できるようにすることによって上記筐体（３）内での上記枠（２７）の水平移動を案内できるように、上記枠（２７）上に形成されていることを特徴とする請求項１〜３のいずれか一項に記載のディスペンサー。
【請求項５】
上記枠（２７）は、複数の受け部（３５）を画定する複数のインプリントを有し、
各上記受け部（３５）は、下方の開口部（３５ａ）とフック（３５ｂ）とを有し、
上記カセット（２）の外側には、複数のピン（３４）が設けられており、
上記枠（２７）が上記第１の位置にある時には、上記ピン（３４）は上記受け部（３５）の上記開口部（３５ａ）に挿入され、上記枠（２７）が上記第２の位置にある時には、上記ピン（３４）は上記フック（３５ｂ）によって保持されることを特徴とする請求項１〜４のいずれか一項に記載のディスペンサー。
【請求項６】
上記基部（３６）は、上記ケース（１）の上記本体の片側に回転可能に連結されており、
上記枠（２７）を移動する上記装置は、上記基部（３６）と一体となる少なくとも１つのカムと、上記枠（２７）と結合して上記基部（３６）の回転を上記枠（２７）の平行移動に変換するための、上記カムの押す表面とを備えることを特徴とする請求項２〜５のいずれか一項に記載のディスペンサー。
【請求項７】
上記枠（２７）を移動する上記装置は、上記基部（３６）を開けることによって上記枠（２７）が上記第２の位置から上記第１の位置に移動するように構成された相補的手段を、さらに備えることを特徴とする請求項２〜６のいずれか一項に記載のディスペンサー。
【請求項８】
上記カセット（２）は、手動で操作されるつかみ手段（２４）を備えていることを特徴とする請求項１〜７のいずれか一項に記載のディスペンサー。
【請求項９】
上記カセット（２）は、取り出される対象の上記製品が保持される袋（６）と、該保持されている上記製品を上記取り出し領域（７）を介して取り出す製品取り出し装置とを備えていることを特徴とする請求項１〜８のいずれか一項に記載のディスペンサー。
【請求項１０】
上記製品取り出し装置は、ポンプ室（１０）を有したポンプを備えており、
上記ポンプ室（１０）は、上記取り出し領域（７）を手で押すことによって自在に変形することを特徴とする請求項９に記載のディスペンサー。
【請求項１１】
上記取り出し領域（７）には、取り出し口（１３）が設けられた変形自在壁（１１）が設けられており、
上記ポンプ室（１０）は、上記変形自在壁（１１）と補強材（１４）との間に設けられ、
上記補強材（１４）は、上記ポンプ室（１０）に製品を供給するための供給口（１２）を有し、
上記取り出し口（１３）には流出弁が設けられており、上記供給口（１２）には流入弁が設けられており、
上記流出弁と上記流入弁とは、上記ポンプ室（１０）が変形することによって上記取り出し口（１３）を介して上記製品を取り出すことができ、変形した上記ポンプ室（１０）が変形前の形状に戻ることによって上記供給口（１２）を介して上記ポンプ室（１０）への供給を行うことができるように構成されていることを特徴とする請求項１０に記載のディスペンサー。
【請求項１２】
上記変形自在壁（１１）は、上記枠（２７）内に設けられる裾（３２）を有する支持体（３１）上に設けられ、
上記裾（３２）には、相補的手段（３４）が設けられていることを特徴とする請求項１１に記載のディスペンサー。
【請求項１３】
上記袋（６）は、先端部（１９）と結合され、
上記先端部（１９）には、保持されている上記製品を上記供給口（１２）に供給するための穴（２０）が設けられていることを特徴とする請求項１１または１２に記載のディスペンサー。
【請求項１４】
上記ケース（１）は、前後の使用の間上記取り出し領域（７）を覆うカバー（９）を備えることを特徴とする請求項１〜１３のいずれか一項に記載のディスペンサー。
【請求項１５】
上記製品は、空気を含まない状態で上記カセット（２）内にて保持されることを特徴とする請求項１〜１４のいずれか一項に記載のディスペンサー。
【発明の詳細な説明】
【技術分野】
【０００１】
本発明は、ケースとカセットとを備えた、製品のディスペンサーに関する。上記ディスペンサーから取り出される上記製品は、上記カセット内にて保持される。具体的に、上記製品は、特に美容または製薬に使用される液体状、クリーム状、ペースト状等の流動体であってもよく、あるいは、詰まっていない状態または詰まった状態の粉末状であってもよい。
【背景技術】
【０００２】
特に文献ＷＯ２０１１/１４４８４０に記載のように、特に、製品を入れる可撓性の袋を保護するために、かつ/または、上記可撓性の袋の見た目を良くするために、上記可撓性の袋が、ケースに設けられた筐体内に配置される装置が知られている。具体的には、上記ケースは、窓を有する。上記窓内にて、取り出し領域にアクセス可能であり、アクセスすることによって、特に手で圧力をかけることで上記製品を取り出すことができる。
【０００３】
上記製品の取り出しは、取り出し口を有するポンプ室を備えたポンプを用いて行ってもよく、上記ポンプ室を手動で自在に変形することによって、上記ポンプを動かす。具体的には、上記取り出し領域は、上記製品を取り出すために上記取り出し領域にそって指をスライド可能にする十分に拡張された面を有してもよい。
【０００４】
十分に補充可能なように構成された装置の利点を活かすために、カセットは、上記ケースの上記筐体内にて可逆的に搭載できるように構成されていることが望ましい。実際、上記カセットが空になると、上記ケースを交換することなく、上記カセットを補充済みのカセットと取り替えることができる。
【０００５】
上記文献の実施形態において、上記ポンプと上記取り出し領域とは、上記カセットと一体に形成され、補充毎に新たなポンプを用いることによって、上記ポンプに含まれる製品と、取り替えられた上記補充済みカセット内で保持されている製品とが混ざらないようにしてもよい。また、上記ケース内に上記補充済みカセットを搭載する前に、上記補充済みカセット内に上記製品を予め保持させておくことによって、上記製品が漏れたり、かつ/または、汚染されるリスクを防ぐことができる。
【発明の概要】
【発明が解決しようとする課題】
【０００６】
しかしながら、上記ケースの上記筐体内で上記カセットを可逆的に搭載することの問題が、特に、上記窓内で取り出し実施領域の位置合わせを正確に行って上記カセットを可逆的に搭載することの問題が発生する。特に、この問題は、補充頻度を抑えるために、上記筐体の大きさに対して上記カセットの容量を最大にする際に、更に一層大きな問題となる。
【０００７】
また、上記筐体に設けられた上記カセットを可逆的に固定する際に、特に、上記取り出し領域での取り出し作業中上記カセットを所定の位置にしっかりと固定しなければならないという問題が発生する。特に、この問題は、実際の表面の取り出し実施領域に関係して、かつ/または、上記取り出し実施領域に手で圧力をかけることによって上記製品を取り出す際に、更に一層大きな問題となる。
【０００８】
本発明は、特に、カセットが有する取り出し領域、特に手で押すことによって取り出し行為を実施しなければならない延長した形状の取り出し領域をケースの窓内に設けることによって、著しく簡単でしっかりと上記カセットを上記ケースの筐体に搭載することができ、可逆的に固定することができる、ディスペンサーを提案して、従来技術を改良することを目的とする。
【課題を解決するための手段】
【０００９】
本発明は、ケースとカセットとを備えた、製品のディスペンサーを提案する。上記カセットは、上記カセットの容器内にて保持された上記製品を取り出すための取り出し領域を有し、上記ケースの本体の上壁に形成されたアクセス窓内に上記取り出し領域を配置することによって、上記本体に設けられた筐体に上記カセットを搭載するディスペンサーであって、上記筐体内に、上記カセットを可逆的に固定できる可逆的固定機構を備えており、上記筐体は、枠を有し、上記枠は、垂直に保持されることによって、上記筐体内にて水平移動可能であり、上記枠と上記カセットとにはそれぞれ、相補的手段が備えられており、上記相補的手段は、上記枠の第１の位置にて、上記アクセス窓内に上記取り出し領域を配置した状態で上記カセットを上記筐体に搭載することができ、上記枠の第２の位置にて、上記筐体内での上記カセットの位置を固定することができるように構成される。
【００１０】
本発明の他の目的や利点は、以下の添付図を参照して、以下に記載されるであろう。
【図面の簡単な説明】
【００１１】
【図１】本発明の一実施形態に係るディスペンサーの上面斜視図であり、上記ディスペンサーにはカセットが搭載されており、カバーが開いた状態を示している。
【図２】図１に示された上記ディスペンサーの下面斜視図であり、上記ディスペンサーの基部が開いた状態でかつカセットが搭載されていない状態を示している。
【図３ａ】図１に示された上記ディスペンサーの、長辺方向に沿った断面図を示す。
【図３ｂ】図１に示された上記ディスペンサーの、短辺方向に沿った断面図を示す。
【図４】図１に示された上記ディスペンサーの部品の分解図である。
【図５ａ】図５〜図７は、図１に示された、ケースの筐体内にカセットを搭載して固定する３つの連続する工程を示す。図５は、基部が開位置にあって、上記筐体に上記カセットが挿入されている図であり、図５ａは、上記長辺方向に沿った線で、かつ、上記枠と上記カセットとの相補的手段を通る線で切断した断面図である。
【図５ｂ】図５ｂは、上記長辺方向に沿った線で、かつ、上記枠を移動して上記カセットを搭載する相補的手段を通る線で切断された断面図である。
【図５ｃ】図５ｃは、上記長辺方向に沿った線で、かつ、上記ケースの中央軸を通る線で切断された断面図である。
【図６ａ】図６は、枠が移動中の図であり、図６ａは、上記長辺方向に沿った線で、かつ、上記枠と上記カセットとの相補的手段を通る線で切断した断面図である。
【図６ｂ】図６ｂは、上記長辺方向に沿った線で、かつ、上記枠を移動して上記カセットを搭載する相補的手段を通る線で切断された断面図である。
【図６ｃ】図６ｃは、上記長辺方向に沿った線で、かつ、上記ケースの中央軸を通る線で切断された断面図である。
【図７ａ】図７は、基部は閉位置にあって、上記カセットは固定された状態の図であり、図７ａは、上記長辺方向に沿った線で、かつ、上記枠と上記カセットとの相補的手段を通る線で切断した断面図であり、
【図７ｂ】図７ｂは、上記長辺方向に沿った線で、かつ、上記枠を移動して上記カセットを搭載する相補的手段を通る線で切断された断面図である。
【図７ｃ】図７ｃは、上記長辺方向に沿った線で、かつ、上記ケースの中央軸を通る線で切断された断面図である。
【図８】図８〜図１０は、図１に示された上記ディスペンサーの上記基部を開けることによって、上記カセットを解除するための３つの連続した工程を示した断面図であって、上記長辺方向に沿った線で、かつ、上記枠と上記カセットとの上記相補的手段を通る線で切断された断面図である。
【図９】図８〜図１０は、図１に示された上記ディスペンサーの上記基部を開けることによって、上記カセットを解除するための３つの連続した工程を示した断面図であって、上記長辺方向に沿った線で、かつ、上記枠と上記カセットとの上記相補的手段を通る線で切断された断面図である。
【図１０】図８〜図１０は、図１に示された上記ディスペンサーの上記基部を開けることによって、上記カセットを解除するための３つの連続した工程を示した断面図であって、上記長辺方向に沿った線で、かつ、上記枠と上記カセットとの上記相補的手段を通る線で切断された断面図である。
【発明を実施するための形態】
【００１２】
以下記載において、位置合わせに関する表現は、図１に示された上記ディスペンサーの使用位置に基づいたものである。
【００１３】
以下、図を参照して、流体物（流体製品）を含有し、含有した流体物を取り出すディスペンサーについて記載する。具体例において、上記流体物は、特に美容あるいは製薬に使用される液体状、クリーム状またはペースト状であってもよく、あるいは、詰まっていない状態のまたは詰まった状態の粉末状であってもよい。
【００１４】
上記ディスペンサーは、ケース１と、容器を有するカセット２とを備える。上記容器内にて、取り出される上記流体物が保持される。上記ディスペンサーは、上記ケース１の本体に設けられた筐体３内に上記カセット２を配置するように構成されている。具体的には、上記カセット２を取り外し、上記ケース１を取り替えることなく空のカセット２を流体物補充済みのカセット２に取り替えることによって、補充可能な装置の構成の利点を活かすようにすることができる。
【００１５】
上記ケース１は、プラスチックや金属材などの強固な材質でできており、化粧品売り場で一般的に見られる、楕円形、円形、正方形または長方形の形状を有した、とりわけ比較的平らな形状を有している。一実施形態によれば、上記ケース１は、美観を保つために、被覆されていてもよい。図示された上記実施形態においては、上記ケース１は、矩形で水平な上壁４を有している。上記上壁４からは、周壁５が鉛直下方に伸びている。上記周壁５は、上記筐体３の４つの側面の範囲を横方向に画定する。
【００１６】
上記カセット２は、袋６と、保持されている流体物を取り出し領域７を介して取り出す取り出し装置とを備えており、上記袋６内にて、取り出される流体物が密閉状態で保持される。具体的には、上記袋６は、具体的にはポリオレフィン系の可撓性外被を備えている。上記可撓性外被は、上記流体物の保持用容器を画定する。上記袋６の可撓性によって、筐体３の体積と最大限に適合して上記カセット２の容量を最大にできる。
【００１７】
ユーザが上記カセット２の上記取り出し領域７にアクセスできるように、上記ケース１の上記上壁４は窓８を有する。上記窓８内には、上記取り出し領域７が配置される。ユーザがアクセス可能でありかつ拡張された上記取り出し領域７の利点を活かすために、具体的には、上記取り出し領域７と上記窓８とは、上記上壁４の大きさに対して、十分に大きいものであり、具体的には、上記上壁４の面積の３０％、さらには５０％以上の面積を有する。
【００１８】
上記取り出し領域７とアクセス窓（上記窓）８とは、同じ形状であってもよく、特に、上記取り出し領域７が上記窓８にぴったりと収まるように同様の大きさであってもよい。そのため、上記上壁４と上記筐体３とは、上部にて上記取り出し領域７を介して閉じられることになる。具体的には、上記取り出し領域７は、比較的平坦であり、上記アクセス窓８を介して上記上壁４と同一平面にある。
【００１９】
図示された実施形態において、上記アクセス窓８は、上記上壁４の形状と相似した矩形形状である。上記上壁４は、上記窓８の外形を画定する内側端部を有しており、上記内側端部は、外側において上記周壁５と接続している。
【００２０】
上記ケース１は、前後の使用の間上記取り出し領域７を覆うように構成されたカバー９を備えている。具体的には、上記カバー９は、ユーザが上記取り出し領域７にアクセスできる開位置と、前後の使用の間上記取り出し領域を保護する閉位置との間を回転可能なように、上記周壁５の片側に連結されていてもよい。また、上記カバー９には、バニティミラーが備えられていてもよい。
【００２１】
図示された上記取り出し装置は、上記取り出し領域７を手で押圧することによって自在に（柔軟に）変形するポンプ室１０を有したポンプを備えている。より厳密には、上記取り出し領域７は、上記ポンプ室１０を画定する変形自在壁１１を有している。上記変形自在壁１１は、ポリオレフィン類の形状記憶材またはエラストマー材料でできていてもよい。
【００２２】
上記ディスペンサーの操作に関して好ましくは、上記取り出し領域７は、上部の加圧領域７ａを有している。上記加圧領域７ａは、その両側を上記ポンプ室１０の供給口１２と、上記流体物の取り出し口１３とによって境された拡張形状である。そのため、上記供給口１２の近傍から上記取り出し口１３の方向に上記ポンプ室１０に対して加える圧迫を平行移動させることができる。また、上記ポンプ室１０が作動する一連の動きにおいてユーザの指に上記流体物を集められるように、上記取り出し口１３は、上記加圧領域７ａの延設部分に形成されていてもよい。
【００２３】
図示された実施形態において、上記変形自在壁１１には、上記取り出し口１３が設けられており、上記ポンプ室１０は、上記変形自在壁１１と、上記袋６上に設けられた補強材１４との間に設けられる。具体的には、上記補強材１４は、上記袋６と上記変形自在壁１１との間に設けられており、硬質プラスチック材を型に入れて作られる。
【００２４】
上記補強材１４は、上記ポンプ室１０へ流体物を供給するための上記供給口１２を有している。上記取り出し口１３には、流体物の流出弁が設けられており、上記供給口１２には、流入弁が設けられている。上記流出弁は、上記ポンプ室１０が変形することによって、上記取り出し口１３を介して上記流体物を取り出すことができるように構成されており、一方、上記流入弁は、変形した上記ポンプ室１０が変形前の形状に戻ることによって、上記供給口１２を介して上記ポンプ室１０への供給を行うことができるように構成されている。
【００２５】
具体的には、上記ポンプ室１０を変形させることによって、上記ポンプ室１０に含有された上記流体物に圧力を加えることができ、上記圧力を加えることによって、上記流入弁が閉じかつ上記流出弁が開き、一方、変形した上記ポンプ室１０が変形前の形状に戻ることによって生じる吸引力によって、上記流入弁が開きかつ上記流出弁が閉じる。
【００２６】
図示された実施形態において、上記変形自在壁１１を変位させて上記補強材１４と接触させるために、上記変形自在壁１１に対する押圧はとりわけ垂直に加えられる。また、上記加圧領域７ａの上流端部、つまり、上記供給口１２の近傍の領域をユーザの指で圧迫することによって上記流入弁が閉じられ、上記ポンプ室１０に対して上記取り出し口１３の方向に上記圧迫を平行移動させることによって上記流出弁が開き、上記ポンプ室１０の中身が出る。
【００２７】
特に、本実施形態は、上記補強材１４が案内インプリント１５を有する場合に、好ましい。具体的に、上記案内インプリント１５は、ユーザの指の幅とほぼ同じ幅の凹みとして形成されたものであり、上記加圧領域７ａに向かうように配置される。実際、上記変形自在壁１１を押圧することによって上記案内インプリント１５を塞ぐことは、上記平行移動中に上記ポンプ室１０を空にしやすくするために、好ましい。さらに、ユーザの指による圧迫が上記流出弁と上記流入弁とにかかることを防ぐため、上記供給口１２と上記取り出し口１３とは、上記案内インプリント１５の外側に設けられる。
【００２８】
好ましくは、上記取り出し装置は、上記保持されている流体物に空気が取り込まれることなく、汲み上げ動作を行うことができるように構成されている。つまり、上記保持されている流体物の取り出し中に、取り出された流体物の代わりに、空気が上記袋６の中に入ることはない。上記袋６の上記可撓性外被の可撓性によって、上記保持されている流体物が取り出されるにつれて、保持する体積は減っていく。
【００２９】
図示された実施形態において、上記流入弁は、上記ポンプ室１０が変形している間上記供給口１２の方に押しつけられるように構成された可撓性リップ１６から形成されている。具体的には、上記可撓性リップ１６は、上記変形自在壁１１の下にて一体形成されており、上記ポンプ室１０の方に傾いて上記供給口１２に当接している。上記可撓性リップ１６は、上記ポンプ室１０内の上記流体物を加圧することによって押しつけられる押しつけ上面を有し、上記袋６内にて保持された上記流体物が吸引されることによって上記可撓性リップ１６は、上記供給口１２から起き上がることができる。
【００３０】
一方、上記流出弁は、上記取り出し口１３の封止用パンチ１７を備えている。上記封止用パンチ１７は、上記ポンプ室１０が変形している間、可逆的に変位しうる。具体的には、上記ポンプ室１０からの上記流体物が可撓性カラー１８にかける圧力によって上記取り出し口１３の外側へ上記封止用パンチ１７が可逆的に変位するように、上記可撓性カラー１８を介して封止された状態で上記封止用パンチ１７が載せられる表面を、上記補強材１４は有している。
【００３１】
上記袋６は、例えばプラスチック材を型に入れて作られた先端部１９と結合される。上記先端部１９には、保持されている上記流体物を上記供給口１２に供給するための穴２０が設けられている。図示された実施形態において、上記袋６は口２１を有しており、上記先端部１９は湾曲基部２２を備えている。上記湾曲基部２２上には、特に溶着によって上記口２１の端部に固定される。
【００３２】
上記穴２０は、垂直に伸び、上記湾曲基部２２の上面で開口する。上記先端部１９は、上記袋６の内口と、上記先端部１９の外口との間を水平に伸びるダクト２３をさらに有する。上記穴２０は、保持されている上記流体物に上記ダクト２３を介して通ずるように、上記ダクト２３と貫通している。
【００３３】
図示された実施形態において、上記ダクト２３は、２つの突起２４の間にある。上記突起２４は、上記カセット２が上記筐体３に取り付けやすく、または、上記筐体３から取り外しやすくするために、上記カセット２を手でつかむようにする手段である。具体的には、上記取り出し領域７を上記窓８内に配置させて上記筐体３内に上記カセット２を導くことができるように、上記突起２４は、ユーザの２本の指でつまめるように構成されている。
【００３４】
好ましくは、上記ディスペンサーを組み立てる前に、上記流体物は、上記ダクト２３を介して上記袋６に入れられる。具体的には、空気を含まない状態で上記カセット２内で上記流体物を保持できるように、上記袋６から空気を予め抜いてから上記流体物を上記袋６に入れる。上記先端部１９の上記外口には、充填後上記袋６を封止するために上記ダクト２３に挿入するキャップ２５が設けられている。
【００３５】
具体的には、上記袋６は、上記キャップ２５を上記ダクト２３に挿入することによって、かつ、上記口２１の先端上部で上記穴２０を覆うことによって、封止される。そのため、特に、上記流体物を詰めて上記キャップ２５を挿入する従来の高速機器において、上記袋６内に上記流体物を簡単に詰めることができる。そして、上記袋６は、上記袋６を上記取り出し装置に設置する前に保存、輸送できるように、密封される。
【００３６】
上記袋６を密封するために、上記補強材１４は、補強材１４と一体に形成されたニップル２６を有する。上記ニップル２６は、上記供給口１２が上記袋６内に保持されている上記流体物と密閉状態で通ずるように、上記穴２０に挿入されるように構成されている。図示された実施形態において、上記ニップル２６は、上記ポンプ室１０の上記供給口１２となる穴を有する。また、上記ニップル２６は、上記穴２０にぴったり挿入可能な寸法である。
【００３７】
また、上記ニップル２６は、上記穴２０に挿入されることによって、上記袋１の上記口２１の上記先端上部に穴を開けることができるように構成されている。具体的には、上記ニップル２６は、上記袋６の上記可撓性外被に穴を開けることが可能な刃先を備えていてもよい。このように、上記取り出し装置を上記袋６上に取り付けた後、上記取り出し装置の上記取り出し領域７を有した上記カセット２を、上記ケース１の上記筐体３に搭載することができ、充填用としても搭載することが可能である。
【００３８】
上記ディスペンサーは、上記取り出し領域７が上記窓８内に位置するように上記筐体３に搭載された上記カセット２の可逆的固定機構を有している。具体的に、上記可逆的固定機構のおかげで、特に上記取り出し領域７に加えられる圧迫に対して、上記筐体３内での上記カセット２の位置を特にしっかりと固定でき、また、上記カセット２を簡単に取り付け/取り外しできる。
【００３９】
上記可逆的固定機構は、上記動作を行うために、垂直に保持されることによって、上記筐体３内にて水平移動する枠２７を有している。上記枠２７と上記カセット２とにはそれぞれ、相補的手段が備えられており、上記相補的手段は、上記枠２７の第１の位置において、上記取り出し領域７が上記窓８に位置するように上記カセット２を上記筐体３内に搭載することができ、上記枠２７の第２の位置において、上記筐体３内にて上記カセット２の位置を固定することができるように構成されている。
【００４０】
具体的に、上記カセット２は、上記取り出し領域７が上記窓８に位置するように、上記筐体３内へ垂直に下ろされ、取り付けられる。その後、上記枠２７を上記第２の位置に移動することによって、上記窓８内での上記取り出し領域７の配置に影響を与えるように上記カセット２を移動させることなく、上記カセット２の位置を固定することができる。
【００４１】
図示された実施形態において、上記ケース１の上記本体は、上記上壁４の下に延伸する垂直壁２８を有する。上記垂直壁２８は、上記窓８の長辺に沿って延伸し、上記窓８と上記周壁５との間に設けられている。上記枠２７と上記カセット２との上記相補的手段同士ができるだけ接近するように、上記枠２７は、上記窓８を囲むように上記垂直壁２８の内側に設けられる。
【００４２】
図示された上記枠２７の形状は、上記窓８の形状と同じ、つまり、２本の長辺バー２７ａと２本の短辺バー２７ｂとで形成される矩形である。上記２本の長辺バー２７ａは互いに、上記２本の短辺バー２７ａを介して、上記２本の長辺バー２７ａの先端において接続されている。上記長辺バー２７ａはそれぞれ、上記垂直壁２８に沿ってスライドする。好ましくは、上記長辺バー２７ａの内側には、つまり、上記長辺バー２７ａの上記カセット２と対向する側には、上記相補的手段が設けられている。上記長辺バー２７ａの外側には、上記垂直壁２８に沿った上記枠２７の移動をガイドする手段が設けられている。
【００４３】
図示された実施形態において、上記垂直壁２８の内面には、複数の内部のノッチ２９が形成されている。上記ノッチ２９は、上記長辺バー２７ａの外面に形成された水平の複数の突出部３０の下になるように設けられている。これにより、上記枠２７を垂直に保持し、上記筐体３内での上記枠２７の水平移動がガイドされる。具体的には、上記枠２７が上記第２の位置に移動する間に、上記突出部３０は上記ノッチ２９上をスライドする。
【００４４】
上記カセット２は支持体３１を有し、その支持体３１の上には、上記変形自在壁１１が設けられている。上記支持体３１は、上記枠２７に嵌め込まれる矩形の裾３２を有している。具体的には、上記補強材１４は、接合部３３を介して、上記支持体３１の下に固定される。上記支持体３１は、上記補強材１４を囲み、座部３４を有している。上記座部３４において、上記封止用パンチ１７は上記取り出し口１３に対して並進するよう案内される。
【００４５】
図示された実施形態において、上記裾３２には、相補的手段が設けられている。より厳密には、上記裾３２の長辺の端部に、複数のピン３４が設けられている。上記長辺バー２７ａの内面には、複数の受け部３５を画定する複数のインプリントが形成されている。各上記受け部３５は、下方の開口部３５ａとフック（鉤）３５ｂとを有している。
【００４６】
各ピコット３４は、上記枠２７が上記第１の位置にある時には、対応する受け部３５の開口部３５ａに垂直に挿入され、上記枠２７が上記第２の位置にある時には、対応するフック３５ｂによって保持される。具体的には、上記枠２７が上記第２の位置に移動する間に、上記フック３５ｂはそれぞれ対応する上記ピン３４の下にスライドする。上記開口部３５ａは、上記ピン３４が上記受け部３５に容易に挿入されるように、漏斗状の形状を有してしてもよい。
【００４７】
上記ケース１は、基部３６を有している。上記基部３６は、ユーザが上記筐体３にアクセス可能な開位置と閉位置との間で軸３７を中心に回転するように、上記ケース１の上記本体の上記周壁５の片側に、具体的には、上記カバー９の連結側と同じ側で連結されている。上記閉位置においては、上記基部３６は、上記筐体３の下壁となる。そのため、上記ディスペンサーの使用時に上記基部３６が位置する上記閉位置においては、上記筐体３と上記カセット２とを保護しかつ美観も保つために、上記筐体３と上記カセット２とは外部から遮断されている。
【００４８】
上述の役割を果たすために、上記基部３６は、上記ケース１の上記本体の上記上壁４の形状と相似した形状の下壁３６ａを有している。上記下壁３６ａは、２つの短辺端部を有しており、上記２つの短辺端部のうち一方は、上記本体に連結されており、他方には、上記基部３６を上記閉位置にて固定する固定用突起部３８が設けられている。
【００４９】
補充動作に関して好ましくは、上記可逆的固定機構は、上記枠２７を移動する装置を備えている。上記装置は、上記枠２７と上記基部３６との上に設けられた相補的手段を有している。上記相補的手段は、上記基部３６を閉めることによって、上記枠２７が上記第１の位置から上記第２の位置に移動するように、構成されている。そのため、上記基部３６を上記開位置に位置させることによって、上記筐体３内に上記カセット２を搭載することができ、上記筐体内に搭載された上記カセット２は、単に、上記基部３６を閉めることによって、固定される。
【００５０】
図示された実施形態において、上記枠２７を移動する上記装置は、上記基部３６と一体となる少なくとも１つのカムと、上記枠２７と結合して上記基部３６の回転を上記枠２７の平行移動に変換するための、上記カムの押す表面とを備える。より厳密には、上記基部３６の連結側には、上記下壁３６ａ上に中央壁３９が設けられている。上記中央壁３９は、対向する上記短辺バー２７ｂを押すカムを形成する。
【００５１】
上記枠２７を移動する上記装置は、上記基部３６を開けることによって上記枠２７が上記第２の位置から上記第１の位置に移動するように構成された相補的手段を、さらに備えてもよい。そうすることで、単に上記基部３６を開けることによって、上記カセット２を解除し、取り替えることができる。
【００５２】
図示された実施形態において、上記基部３６の上記連結側には、上記中央壁３９を囲むように２つの突起物４０が設けられている。上記２つの突起物４０は、上記基部３６が閉じることによる上記枠２７の上記第２の位置への移動を妨げないように、上記中央壁３９に対して配置される。また、上記基部３６を開けることによって上記枠２７が上記第１の位置へ移動するように、上記２つの突起物４０はそれぞれ、対応する上記短辺バー２７ｂの各側に設けられた底部４１を押す。
【００５３】
具体的には、上記中央壁３９は、曲線移動をして上記基部３６を閉めるに際し、対応する上記短辺バー２７ｂを連結側へ引くよう構成されている。一方、上記突起部４０は、曲線移動をして上記基部３６を開けるに際し上記底部４１を押すように構成されている。
【図１】
2014166885.tif 000003
【図２】
2014166885.tif 000004
【図３ａ】
2014166885.tif 000005
【図３ｂ】
2014166885.tif 000006
【図４】
2014166885.tif 000007
【図５ａ】
2014166885.tif 000008
【図６ａ】
2014166885.tif 000009
【図７ａ】
2014166885.tif 000010
【図５ｂ】
2014166885.tif 000011
【図６ｂ】
2014166885.tif 000012
【図７ｂ】
2014166885.tif 000013
【図５ｃ】
2014166885.tif 000014
【図６ｃ】
2014166885.tif 000015
【図７ｃ】
2014166885.tif 000016
【図８】
2014166885.tif 000017
【図９】
2014166885.tif 000018
【図１０】
2014166885.tif 000019
【外国語明細書】
2014166885000001.pdf